(57)【要約】  ユーザによって予め設定された優先度に基づいて、圧縮機（２１）から吐出される冷媒が分配され、その余剰分が更に優先度に基づいて分配される。したがって、ユーザは、例えばオフィスビルのワークスペース等の用途に応じて、室内ユニット（３０Ａ〜３０Ｃ，４０）の優先度を設定することで、使用目的に応じて、ヒートポンプシステム（１０）を効率的に運用することが可能となる。また、残りの室内ユニットについては、室外ユニットの余剰容量を優先度に応じて分配することで、室外ユニットの冷却容量の範囲内で、各室内ユニットを効率的に運用することができる。
2013061399.tif 000002
【特許請求の範囲】
【請求項１】
温調対象と冷媒との間で熱交換を行う複数の室内ユニットと、
外気と冷媒との間で熱交換を行う室外ユニットと、
複数の前記室内ユニットと前記室外ユニットとの間で、冷媒を循環させる第１循環系と、
前記室内ユニットごとに設けられ、前記第１循環系から前記室内ユニットへ流入する冷媒の量を調整するための調整手段と、
前記室内ユニットに設定される優先度を入力するための入力手段と、
複数の前記室内ユニットそれぞれの前記温調対象の温調目標温度と前記温調対象の現在の温度とに基づいて求められる、複数の前記室内ユニットそれぞれで必要な冷媒の流量の合計が、前記室外ユニットから、前記第１循環系へ吐出されうる冷媒の流量を超える場合に、前記優先度が高い前記室内ユニットから順に、前記室内ユニットが必要とする流量の冷媒が前記室内ユニットに供給されるように、前記調整手段を制御して、冷媒を分配する制御手段と、
を備えるヒートポンプシステム。
【請求項２】
前記制御手段は、前記室内ユニットに要求される冷媒の流量の比に応じて、前記冷媒を分配する請求項１に記載のヒートポンプシステム。
【請求項３】
前記制御手段は、優先度が最も高い前記室内ユニットについては、当該室内ユニットから要求される流量の冷媒が供給されるように、前記調整手段を制御する請求項１又は２に記載のヒートポンプシステム。
【請求項４】
前記制御手段は、優先度が最も高い前記室内ユニットに、当該室内ユニットから要求される流量の冷媒を供給した後の余剰冷媒を、他の前記室内ユニットに分配する請求項３に記載のヒートポンプシステム。
【請求項５】
前記余剰冷媒を、他の前記室内ユニットから要求される比に応じて分配する請求項４に記載のヒートポンプシステム。
【請求項６】
前記第１循環系は、複数の前記室内ユニットに要求される冷媒の流量の合計が、前記室外ユニットから吐出される冷媒の最大流量を超える場合に、前記室外ユニットから吐出される冷媒の熱量を、複数の前記室内ユニットに要求される冷媒の流量の合計が、前記室外ユニットから吐出される冷媒の最大流量以下のときよりも増加させる請求項１乃至５のいずれか一項に記載のヒートポンプシステム。
【請求項７】
前記室内ユニットは、前記第１循環系を循環する冷媒との間で熱交換が行われる冷媒を循環させるための第２循環系と、
前記第２循環系の冷媒を循環させる圧縮機と、
前記第１循環系の冷媒と、前記第２循環系の冷媒との間で熱交換を行うことで、前記第２循環系の蒸発熱源として機能する第１熱交換手段と、
前記熱交換手段で必要な熱量と、前記圧縮機の運転状態に基づいて、前記室外ユニットへ要求する要求熱量を求める算出手段と、
を備える請求項１乃至６のいずれか一項に記載のヒートポンプシステム。
【請求項８】
前記算出手段は、前記熱交換手段で必要な熱量と、前記圧縮機への入力とを用いて、前記要求熱量を算出する請求項７に記載のヒートポンプシステム。
【請求項９】
前記算出手段は、前記熱交換手段で必要な熱量と、前記圧縮機の成績係数を用いて、前記要求熱量を算出する請求項７に記載のヒートポンプシステム。
【請求項１０】
前記室内ユニットは、
前記第２循環系を循環する冷媒と、給湯系統を流れる前記温調対象としての水との間で熱交換を行う第２熱交換手段を備え、
前記第２循環系を循環する冷媒の臨界温度は６０℃以上である請求項７乃至９のいずれか一項に記載のヒートポンプシステム。
【請求項１１】
複数の室内ユニットそれぞれの温調対象の温調目標温度と、前記温調対象の現在の温度とによって求められる、複数の前記室内ユニットそれぞれで必要な冷媒の流量を求める手段と、
前記室内ユニットそれぞれで必要な冷媒の流量の合計量を算出する手段と、
前記合計量が、室外ユニットから前記室内ユニットへ供給される冷媒の量を超える場合に、前記室内ユニットに割り当てられた優先度が高い順に、前記室内ユニットが必要とする流量の冷媒が前記室内ユニットに供給されるように、前記室内ユニットの分配手段を制御する手段と、
を備える制御装置。
【請求項１２】
複数の室内ユニットそれぞれの温調対象の温調目標温度と、前記温調対象の現在の温度とによって求められる、複数の前記室内ユニットそれぞれで必要な冷媒の流量を求める工程と、
前記室内ユニットそれぞれで必要な冷媒の流量の合計量を算出する工程と、
前記合計量が、室外ユニットから前記室内ユニットへ供給される冷媒の量を超える場合に、前記室内ユニットに割り当てられた優先度が高い順に、前記室内ユニットが必要とする流量の冷媒が前記室内ユニットに供給されるように、前記冷媒を前記室内ユニットに分配する工程と、
を含む温調方法。
【請求項１３】
コンピュータに、
複数の室内ユニットそれぞれの温調対象の温調目標温度と、前記温調対象の現在の温度とによって求められる、複数の前記室内ユニットそれぞれで必要な冷媒の流量を求める手順と、
前記室内ユニットそれぞれで必要な冷媒の流量の合計量を算出する手順と、
前記合計量が、室外ユニットから前記室内ユニットへ供給される冷媒の量を超える場合に、前記室内ユニットに割り当てられた優先度が高い順に、前記室内ユニットが必要とする流量の冷媒が前記室内ユニットに供給されるように、前記室内ユニットの分配手段を制御する手順と、
を実行させるためのプログラム。
【発明の詳細な説明】
【技術分野】
【０００１】
本発明は、ヒートポンプシステム、制御装置、温調方法及びプログラムに関する。
【背景技術】
【０００２】
オフィスビル等の大規模建造物に導入される空調システムでは、フロアごとに、或いはフロアの区画ごとに配置された複数の室内ユニットが、屋上などに設置された室外ユニットと冷媒配管を介して接続される。これによって、室内の空気と外気との間で熱交換を行うヒートポンプが構成される。【０００３】
この種の多室型の空調システムでは、室外ユニットに対して複数の室内ユニットが並列に接続される。このため、室外ユニットの容量（能力）は、当該室外ユニットに接続される室内ユニットの容量の合計（合計容量）に基づいて決定される。【０００４】
しかしながら、室外ユニットの容量が、室内ユニットの合計容量よりも小さい場合には、室内ユニットの要求通りの流量で、各室内ユニットに冷媒を供給することが困難になることがある。この場合は、例えば、最も多くの冷媒を要求する室内ユニットに、優先的に冷媒を供給し、残りの室内ユニットには、冷媒の余剰分を分配して供給するなどの処置が必要となる（例えば特許文献１参照）。
【先行技術文献】
【特許文献】
【０００５】
【特許文献１】特許第３２４２２４６号公報
【発明の概要】
【発明が解決しようとする課題】
【０００６】
特許文献１に開示された装置では、最も多くの冷媒を要求する室内ユニットに優先的に冷媒が供給される。このため、他の室内ユニットに供給される冷媒の量が少なくなり、一部の室内では快適性が損なわれることがある。【０００７】
また、室外ユニットと温調対象との間に、複数の冷凍サイクルからなるカスケード冷凍サイクルが構成されている場合には、温調対象が要求する熱量が変化したときに、当該温調対象に供給する熱量を補正するのが困難であった。【０００８】
本発明は、上述の事情の下になされたもので、ユーザによって指定される優先度合いに応じて、温調対象を効率的に温調することを目的とする。
【課題を解決するための手段】
【０００９】
上記目的を達成するため、本発明に係るヒートポンプシステムは、
温調対象と冷媒との間で熱交換を行う複数の室内ユニットと、
外気と冷媒との間で熱交換を行う室外ユニットと、
複数の前記室内ユニットと前記室外ユニットとの間で、冷媒を循環させる第１循環系と、
前記室内ユニットごとに設けられ、前記第１循環系から前記室内ユニットへ流入する冷媒の量を調整するための調整手段と、
前記室内ユニットに設定される優先度を入力するための入力手段と、
複数の前記室内ユニットそれぞれの前記温調対象の温調目標温度と前記温調対象の現在の温度とに基づいて求められる、複数の前記室内ユニットそれぞれで必要な冷媒の流量の合計が、前記室外ユニットから、前記第１循環系へ吐出されうる冷媒の流量を超える場合に、前記優先度が高い前記室内ユニットから順に、前記室内ユニットが必要とする流量の冷媒が前記室内ユニットに供給されるように、前記調整手段を制御して、冷媒を分配する制御手段と、
を備える。
【発明の効果】
【００１０】
本発明によれば、例えばユーザによって室内ユニットに割り当てられる優先度が入力されると、当該優先度合いに応じて室内ユニットに冷媒が分配される。これにより、ユーザの快適性を損なうことなく、効率的に温調対象を温調することができる。
【図面の簡単な説明】
【００１１】
【図１】第１の実施形態に係るヒートポンプシステムのブロック図である。
【図２】ヒートポンプシステムの配管系統を示すブロック図である。
【図３】ヒートポンプシステムの制御系を示すブロック図である。
【図４】制御装置のブロック図である。
【図５】制御装置によって実行される一連の処理を示すフローチャートである。
【図６】第２の実施形態に係るヒートポンプシステムのブロック図である。
【図７】室内ユニットの制御系を示すブロック図である。
【図８】制御装置によって実行される一連の処理を示すフローチャートである。
【発明を実施するための形態】
【００１２】
《第１の実施形態》
以下、本発明の第１の実施形態を、図面を参照しつつ説明する。図１は、一例としてオフィスビル１００に設置されたヒートポンプシステム１０のブロック図である。オフィスビル１００は、３つのワークスペースＡ１，Ａ２，Ａ３と、給湯室Ｂ１を有している。そして、ヒートポンプシステム１０は、オフィスビル１００のワークスペースＡ１〜Ａ３に配置される室内ユニット３０Ａ〜３０Ｃと、給湯室Ｂ１に配置される室内ユニット４０と、オフィスビル１００の屋上に配置される室外ユニット２０を有している。各室内ユニット３０Ａ〜３０Ｃ，４０は、冷媒を循環させるための循環系５０によって、室外ユニット２０と接続されている。
【００１３】
図２は、ヒートポンプシステム１０の配管系統を示す図である。図２に示されるように、室外ユニット２０は、熱交換器２３、圧縮機２１、四方弁２２を有している。上記各部は、冷媒配管２６を介して接続されている。
【００１４】
熱交換器２３は、例えば伝熱管及び放熱フィンと、放熱フィンを冷却するための電動ファンを有するクロスフィン方式のフィン・アンド・チューブ形熱交換器である。この熱交換器２３は、ヒートポンプシステム１０が冷房運転を行っている場合に、凝縮器として機能し、ヒートポンプシステム１０が暖房運転を行っている場合に、蒸発器として機能する。
【００１５】
圧縮機２１は、例えばインバータモータを備える容積式圧縮機である。この圧縮機２１は、冷媒を圧縮して、四方弁２２へ吐出する。
【００１６】
四方弁２２は、熱交換器２３を流れる冷媒の方向を切り替えるための弁である。この四方弁２２は、ヒートポンプシステム１０が冷房運転を行っているときには、冷媒が矢印Ａａに示される方向に循環し、ヒートポンプシステム１０が暖房運転を行っていえるときには、冷媒が矢印Ａｂに示される方向へ循環するように切り替えられる。なお、冷媒としては、フロンガスＲ４１０Ａが用いられる。
【００１７】
上述のように構成された室外ユニット２０は、図１に示されるように、オフィスビル１００の屋上に設置され、第１循環系としての循環系５０を介して供給される冷媒と外気との間で熱交換を行う。
【００１８】
室内ユニット３０Ａは、温調対象としての室内空気を冷却或いは加熱するための装置である。図２に示されるように、室内ユニット３０Ａは、熱交換器３１、及び膨張弁３２を有している。熱交換器３１及び膨張弁３２は、冷媒配管３５によって直列に接続されている。
【００１９】
熱交換器３１は、上述した熱交換器２３と同等の構成を有している。この熱交換器２３は、当該熱交換器２３を流れる冷媒と室内の空気との間で熱交換を行う。
【００２０】
膨張弁３２は、熱交換器３１を流れる冷媒の流量を調整するための調整手段として機能する電動膨張弁である。この膨張弁４２は、例えば弁と、当該弁の開度を調整するステッピングモータを備えている。
【００２１】
上述のように構成される室内ユニット３０Ａは、図１に示されるように、例えばオフィスビル１００のワークスペースＡ１の天井に設置されている。そして、室内ユニット３０Ａは、循環系５０を介して供給される冷媒と、ワークスペースＡ１の内部空気との間で熱交換を行う。
【００２２】
室内ユニット３０Ｂ，３０Ｃは、上述した室内ユニット３０Ａと同等の構成を有している。これらの室内ユニット３０Ｂ，３０Ｃは、それぞれオフィスビル１００のワークスペースＡ２，Ａ３の天井に設置されている。室内ユニット３０Ｂ，３０Ｃそれぞれは、循環系５０を介して供給される冷媒と、ワークスペースＡ２，Ａ３の内部空気との間で熱交換を行う。
【００２３】
室内ユニット４０は、温調対象としての水道水を冷却或いは加熱するための装置である。図２に示されるように、室内ユニット４０は、熱交換器４１、膨張弁４２を有している。熱交換器４１及び膨張弁４２は、冷媒配管３５によって直列に接続されている。
【００２４】
熱交換器４１は、プレート式の熱交換器である。この熱交換器４１は、給水ポンプ６０によって当該熱交換器４１を流れる水道水と、冷媒との間で熱交換を行う。
【００２５】
膨張弁４２は、熱交換器４１を流れる冷媒の流量を調整するための電子式膨張弁である。この膨張弁４２は、例えば弁と、当該弁の開度を調整するステッピングモータを備えている。
【００２６】
上述のように構成される室内ユニット４０は、図１に示されるように、オフィスビル１００の給湯室Ｂ１に設置されている。そして、室内ユニット４０は、循環系５０を介して供給される冷媒と、水道管６１を流れる水道水との間で熱交換を行う。これにより、例えば水道管６１から給湯器へ流れる水道水が予熱される。
【００２７】
図２に示されるように、循環系５０を構成する冷媒配管５０ａ，５０ｂと、室外ユニット２０を構成する冷媒配管２６は、継手２４，２５によって接続されている。そして、冷媒配管５０ａ，５０ｂと、室内ユニット３０Ａ〜３０Ｂを構成する冷媒配管３５は、継手３３，３４によって接続されている。また、循環系５０を構成する冷媒配管５０ａ，５０ｂと、室内ユニット４０を構成する冷媒配管４７は、継手４３，４４によって接続されている。これにより、室内ユニット３０Ａ〜３０Ｃ、及び室内ユニット４０が、室外ユニット２０に対して並列に接続されるヒートポンプ式の冷凍サイクルが構成されている。
【００２８】
図３は、ヒートポンプシステム１０の制御系を示すブロック図である。図３に示されるように、ヒートポンプシステム１０の室外ユニット２０は室外制御ユニット１２０を有している。
【００２９】
室外制御ユニット１２０は、室内ユニット３０Ａ〜３０Ｃ，４０と通信を行い、室内ユニット３０Ａ〜３０Ｃ，４０から後述する優先度Ｐ（ｎ）と要求量Ｑを示す情報（要求量情報）を取得する。そして、室外制御ユニット１２０は、取得した要求量情報に応じて、圧縮機２１を駆動する。この室外制御ユニット１２０は、制御装置２０１及び駆動装置２０２を有している。
【００３０】
図４は、制御装置２０１のブロック図である。図４に示されるように、制御装置２０１は、ＣＰＵ（Central Processing Unit）２０１ａ、主記憶部２０１ｂ、補助記憶部２０１ｃ、インタフェース２０１ｄ、及び上記各部を相互に接続するバス２０１ｅを有するマイクロコンピュータである。
【００３１】
主記憶部２０１ｂは、ＤＲＡＭ（Dynamic Random Access Memory）或いはＳＲＡＭ（Static Random Access Memory）等の揮発性メモリを有している。この主記憶部２０１ｂは、ＣＰＵ２０１ａの作業領域として用いられる。
【００３２】
補助記憶部２０１ｃは、磁気ディスク、フラッシュメモリ等の不揮発性メモリを有している。この補助記憶部２０１ｃには、ＣＰＵ２０１ａによって実行されるプログラム及び各種パラメータに関する情報が記憶されている。
【００３３】
インタフェース２０１ｄは、例えばシリアルインタフェースを含んで構成されている。ＣＰＵ２０１ａは、このインタフェース２０１ｄを介して、室内ユニット３０Ａ〜３０Ｃ，４０それぞれと通信を行う。
【００３４】
図３に戻り、駆動装置２０２は、圧縮機２１が備えるインバータモータを駆動するためのインバータ回路や、四方弁２２を駆動するための駆動回路を有している。この駆動装置２０２は、制御装置２０１の指示に基づいて周波数変調した周波数ｆの駆動電圧を、圧縮機２１を構成するインバータモータへ印加する。これにより、圧縮機２１を構成するインバータモータが周波数ｆに応じた回転数で回転する。また、駆動装置２０２は、制御装置２０１の指示に基づいて、四方弁２２を駆動して、熱交換器２３を流れる冷媒の方向を、矢印Ａａに示される方向或いは矢印Ａｂに示される方向へ切り替える。
【００３５】
図３に示されるように、室内ユニット３０Ａは室内制御ユニット１３０Ａを有している。室内制御ユニット１３０Ａは、室内ユニット３０Ａの膨張弁３２を制御することによって、熱交換器３１を流れる冷媒の流量を調整する装置である。この室内制御ユニット１３０Ａは、制御装置３０１、入力部３０２、温度センサ３０３、弁駆動回路３０４を有している。
【００３６】
入力部３０２は、例えばワークスペースＡ１の壁面等に配置されるリモートコントロール装置である。この入力部３０２は、液晶ディスプレイとタッチパネルからなるＧＵＩ（Graphical User Interface）、或いは入力キー等から構成されるインタフェースを有している。ユーザは、入力部３０２を介して、制御装置３０１へ種々の情報を入力することができる。制御装置３０１へ入力される情報は、例えばワークスペースＡ１についての設定温度、室内ユニット３０Ａからの風量を示す情報、及び後述する室内ユニット３０Ａの優先度Ｐ（ｎ）を示す情報等である。
【００３７】
優先度Ｐ（ｎ）は、数字で入力することができる。例えば、優先度が３段階である場合には、優先度として「３」が割り当てられた室内ユニットが最も優先度が高く、優先度として「２」が割り当てられた室内ユニットが次に優先度が高く、優先度として「１」が割り当てられた室内ユニットが最も優先度が低いことを表す。本実施形態では、一例として、次表に示されるように、各室内ユニットの優先度が設定される。
【００３８】
【表１】
2013061399.tif 000003
【００３９】
温度センサ３０３は、電動ファンによって熱交換器３１に流入する空気の温度を検出するためのセンサである。この温度センサ３０３としては、例えば温度に応じて抵抗値が変化するサーミスタを用いることができる。制御装置３０１は、温度センサ３０３の抵抗値を計測することで、電動ファンに流入する空気の温度、すなわちワークスペースＡ１の室温を計測することができる。
【００４０】
弁駆動回路３０４は、制御装置３０１の指示を受けると、膨張弁３２のステッピングモータを駆動することにより、当該膨張弁３２の開度を調整し、熱交換器３１を流れる冷媒の流量を調整する。
【００４１】
制御装置３０１は、室外制御ユニット１２０の制御装置２０１と同様に、ＣＰＵ，主記憶部、補助記憶部、及びインタフェースを有している。この制御装置３０１は、ユーザによって、入力部３０２を介して入力された情報、及び温度センサ３０３により計測したワークスペースＡ１の室温から、室内ユニット３０Ａで必要な冷媒の流量を求める。この流量は、室内ユニット３０Ａが所期の能力を発揮するために必要な冷媒の流量である。
【００４２】
冷媒の必要な流量は、例えば、ユーザによって設定された設定温度Ｔｉと、計測された室温Ｔｒとの差（Ｔｉ−Ｔｒ）に、室内ユニットごとに決まる固有の係数ａ１を乗じることにより求めることができる。制御装置２０１は、室内ユニット３０Ａで必要な冷媒の流量ａ１（Ｔｉ−Ｔｒ）を求めると、求めた流量を示す情報を、室外ユニット２０へ出力する。
【００４３】
また、制御装置３０１は、室外ユニット２０の制御装置２０１からの情報に基づいて、膨張弁３２の開度を求める。
【００４４】
膨張弁３２の開度は、例えば制御装置２０１から室内ユニット３０Ａへ供給される冷媒の供給量がＶであるときには、供給量Ｖに、室内ユニットごとに決まる固有の係数ａ２を乗じることにより求めることができる。制御装置２０１は、弁駆動回路３０４を介して、膨張弁３２の開度をａ２・Ｖに調整する。
【００４５】
室内ユニット３０Ｂ，３０Ｃは、室内制御ユニット１３０Ｂ，１３０Ｃを有している。室内制御ユニット１３０Ｂ，１３０Ｃそれぞれは、室内ユニット３０Ｂ，３０Ｃの膨張弁３２を制御することによって、熱交換器３１を流れる冷媒の流量を調整する装置である。これらの室内制御ユニット１３０Ｂ，１３０Ｃは、上述した室内制御ユニット１３０Ａと同様に、制御装置３０１、入力部３０２、温度センサ３０３、弁駆動回路３０４を有している。そして、室内制御ユニット１３０Ａと同様に機能する。
【００４６】
室内ユニット４０は、室内制御ユニット１４０を有している。室内制御ユニット１４０は、膨張弁４２を制御することによって、熱交換器４１を流れる冷媒の流量を調整する装置である。この室内制御ユニット１４０は、制御装置４０１，入力部４０２、温度センサ４０３を有している。
【００４７】
入力部４０２は、例えば室内ユニット４０の筐体などに配置されたダイヤルや、押ボタンなどからなるインタフェースを有している。ユーザは、入力部４０２を介して、制御装置４０１に給湯温度、及び後述する室内ユニット３０Ａの優先度Ｐ（ｎ）を示す情報等を入力することができる。
【００４８】
温度センサ４０３は、冷媒と熱交換をした後の水道水の温度を検出するためのセンサである。この温度センサ３０３は、熱交換器４１の２次側（吐出側）に接続される水道管６１に設けられている。温度センサ４０３として、例えば温度に応じて抵抗値が変化するサーミスタを用いることができる。制御装置４０１は、温度センサ４０３の抵抗値を計測することで、熱交換器４１を通過した水道水の温度（水温）を計測することができる。
【００４９】
弁駆動回路４０４は、制御装置４０１の指示を受けると、膨張弁のステッピングモータを駆動することにより、当該膨張弁４２の開度を調整し、熱交換器３１を流れる冷媒の流量を調整する。
【００５０】
制御装置４０１は、室外制御ユニット１２０，及び室内制御ユニット１３０Ａ〜１３０Ｃの制御装置と同様に、ＣＰＵ，主記憶部、補助記憶部、及びインタフェースを有している。この制御装置４０１は、ユーザによって、入力部４０２を介して入力された情報、及び温度センサ４０３により計測された水温から、室内ユニット４０で必要な冷媒の流量を求める。そして、求めた流量を示す情報を、室外ユニット２０へ出力する。また、制御装置４０１は、室外ユニット２０の制御装置２０１の指示に基づいて、膨張弁４２の開度を求める。そして、弁駆動回路４０４を介して、膨張弁４２の開度を調整する。
【００５１】
次に上述のように構成されたヒートポンプシステム１０の動作について説明する。ヒートポンプシステム１０は、室外ユニット２０の制御装置２０１の指示に基づいて、室内ユニット３０Ａ〜３０Ｃ，４０それぞれの制御装置３０１，４０１が協働することによって、動作する。図５は、室外ユニット２０の電源投入後、制御装置２０１によって実行される処理を示すフローチャートである。
【００５２】
ヒートポンプシステム１０を使用する場合、ユーザは、室内ユニット３０Ａ〜３０Ｃ，４０の入力部３０２、４０２を操作して、各室内ユニット３０Ａ〜３０Ｃ，４０の設定温度Ｔｉ（ｎ）を設定することができる。ユーザによる設定温度の入力がない場合には、設定温度Ｔｉ（ｎ）として初期値が設定される。また、ユーザは、室内ユニット３０Ａ〜３０Ｃ，４０の入力部３０２、４０２を操作して、各室内ユニット３０Ａ〜３０Ｃ，４０に、優先度Ｐ（ｎ）を設定することができる。ユーザによって入力された設定温度Ｔｉ（ｎ）と、優先度Ｐ（ｎ）は、制御装置３０１，４０１によって取り込まれ、記憶される。
【００５３】
ヒートポンプシステム１０が動作を開始すると、最初のステップＳ２０１で、制御装置２０１は、各室内ユニット３０Ａ〜３０Ｃ，４０の制御装置３０１，４０１から、優先度Ｐ（ｎ）を示す優先度情報ＰＤ（ｎ）を取得する。なお、ｎは、室内ユニット３０Ａ〜３０Ｃ，４０の台数によって定まり、ここでは１〜４までの整数である。そして、優先度情報ＰＤ（１）〜ＰＤ（４）は、それぞれ室内ユニット３０Ａ〜３０Ｃ，４０の優先度情報を示す。
【００５４】
優先度Ｐ（ｎ）は、室内ユニットの優先順位を示すものであり、本実施形態では３つの数字１〜３で示される。優先度Ｐ（ｎ）については、大きい数字ほど優先順位が高く、例えば、優先度Ｐ（ｎ）が「３」の室内ユニットは、優先度Ｐ（ｎ）が「２」或いは「１」の室内ユニットに優先して、冷媒が供給されることを意味している。ユーザは、例えば各室内ユニット３０Ａ〜３０Ｃ，４０の入力部３０２，４０２を介して、制御装置３０１，４０１に優先度Ｐ（ｎ）の値を入力することができる。
【００５５】
次のステップＳ２０２では、制御装置２０１は、各室内ユニット３０Ａ〜３０Ｃ，４０の制御装置３０１，４０１から、要求量Ｑ（ｎ）を示す要求量情報ＱＤ（ｎ）を取得する。本実施形態では、要求量情報ＱＤ（１）〜ＱＤ（４）は、それぞれ室内ユニット３０Ａ〜３０Ｃ，４０の要求量情報を示す。
【００５６】
要求量Ｑ（ｎ）は、上述したように室内ユニット３０Ａ〜３０Ｃ，４０の制御装置３０１，４０１によって求められる、室内ユニットで必要な冷媒の流量である。例えば、１分間に各室内ユニットを通過する冷媒の量（Ｌ／ｍｉｎ）と等価である。
【００５７】
次のステップＳ２０３では、制御装置２０１は、優先度Ｐ（ｎ）の値ｋ（ｋ＝１〜３）ごとに、合計要求量ＱＴ（ｋ）を算出する。この合計要求量ＱＴ（ｋ）は、次式（１）で示されるように、優先度Ｐ（ｎ）の値がｋの室内ユニットからの要求量ＱＫ（ｎ）の和である。
【００５８】
ＱＴ（ｋ）＝ΣＱｋ（ｎ）  …（１）
【００５９】
例えば、室内ユニット３０Ａの優先度Ｐ（１）の値ｋが「３」、室内ユニット３０Ｂの優先度Ｐ（２）の値ｋが「２」、室内ユニット３０Ｃの優先度Ｐ（３）の値ｋが「２」、室内ユニット４０の優先度Ｐ（４）の値ｋが「１」である場合には、制御装置２０１によって、優先度の値「３」についての合計要求量ＱＴ（３）として、Ｑ３（１）が求められる。また、優先度の値「２」についての合計要求量ＱＴ（２）として、Ｑ２（２）＋Ｑ２（３）が求められる。そして、優先度の値「１」についての合計要求量ＱＴ（１）として、Ｑ１（４）が求められる。
【００６０】
以下、一例として、室内ユニット３０Ａの優先度Ｐ（１）の値ｋが「３」、室内ユニット３０Ｂの優先度Ｐ（２）の値ｋが「２」、室内ユニット３０Ｃの優先度Ｐ（３）の値ｋが「２」、室内ユニット４０の優先度Ｐ（４）の値ｋが「１」であるものとして説明を続ける。
【００６１】
次のステップＳ２０４では、制御装置２０１は、最も大きい優先度の値ｋ１についての合計要求量ＱＴ（ｋ１）と、圧縮機２１から吐出される冷媒の１分間当たりの最大量（最大流量）ＱＭとを比較する。具体的には、最も大きい優先度の値「３」についての合計要求量ＱＴ（３）と、最大量ＱＭとを比較する。そして、制御装置２０１は、最大量ＱＭより合計要求量ＱＴ（３）の方が大きいと判断した場合には（ステップＳ２０４：Ｙｅｓ）、次のステップＳ２０５へ移行する。
【００６２】
ステップＳ２０５では、制御装置２０１は、次式（２）に示されるように、最大量ＱＭを、優先度の値がｋ１の室内ユニットによる要求量Ｑｋ１（ｎ）の比に応じて按分することで、優先度Ｐ（ｎ）の値がｋ１の室内ユニットごとに分配量ＱＳｋ１（ｎ）をそれぞれ算出する。また、制御装置２０１は、残りの室内ユニットについての分配量ＱＳｋ（ｎ）を零に設定する。
【００６３】
ＱＳｋ１（ｎ）＝ＱＭ×（Ｑｋ１（ｎ）／ＱＴ（ｋ１））  …（２）
【００６４】
ステップＳ２０５では、優先度の値ｋ１が「３」である。このため、室内ユニット３０Ａの要求量Ｑ３（１）と、優先度の値ｋが「３」についての合計要求量ＱＴ（３）とを、上記式（２）へ代入することにより、室内ユニット３０Ａに分配される冷媒の分配量ＱＳ３（１）を求めることができる。なお、ステップＳ２０５では、優先度の値ｋが「３」である室内ユニットは、１台だけである。このため、圧縮機２１から吐出される冷媒の最大量ＱＭと、室内ユニット３０Ａについての分配量ＱＳ３（１）とが等しくなる。
【００６５】
一方、ステップＳ２０４で、合計要求量ＱＴ（ｋ１）が最大量ＱＭ以下の場合には（ステップＳ２０４：Ｎｏ）、制御装置２０１は、次のステップＳ２０６へ移行する。
【００６６】
ステップＳ２０６では、制御装置２０１は、優先度の値がｋ１である室内ユニットからの要求量Ｑｋ１（ｎ）と等しい量を、当該室内ユニットへの分配量ＱＳｋ１（ｎ）として決定する。ステップＳ２０６では、優先度の値が「３」である室内ユニット３０Ａからの要求量Ｑ３（１）と等しい量が、室内ユニット３０Ａへの分配量ＱＳ３（１）となる。
【００６７】
次のステップＳ２０７では、制御装置２０１は、２番目に大きい優先度の値ｋ２（＝ｋ１−１）についての合計要求量ＱＴ（ｋ２）と、最大量ＱＭから先に分配した冷媒の合計要求量ＱＴ（ｋ１）を減じた余剰量ＱＭ（ｋ１）とを比較する。そして、制御装置２０１は、余剰量ＱＭ（ｋ１）より合計要求量ＱＴ（ｋ２）の方が大きいと判断した場合には（ステップＳ２０７：Ｙｅｓ）、次のステップＳ２０８へ移行する。
【００６８】
ステップＳ２０８では、制御装置２０１は、次式（３）に示されるように、余剰量ＱＭ（ｋ１）を、優先度の値がｋ２の室内ユニットによる要求量Ｑｋ２（ｎ）の比に応じて按分することで、室内ユニット毎に分配量ＱＳｋ２（ｎ）をそれぞれ算出する。また、制御装置２０１は、残りの室内ユニットについての分配量ＱＳｋ（ｎ）を零に設定する。
【００６９】
ＱＳｋ２（ｎ）＝ＱＭ（ｋ１）×（Ｑｋ２（ｎ）／ＱＴ（ｋ２））  …（３）
【００７０】
ステップＳ２０８では、優先度の値ｋ２が「２」である。このため、余剰量ＱＭ（ｋ１）と、室内ユニット３０Ｂの要求量Ｑ２（２）と、優先度の値ｋが「２」についての合計要求量ＱＴ（２）とを、上記式（３）へ代入することにより、室内ユニット３０Ｂに分配される冷媒の分配量ＱＳ２（２）を求めることができる。そして、余剰量ＱＭ（２）と、室内ユニット３０Ｃの要求量Ｑ２（３）と、優先度の値ｋが「２」についての合計要求量ＱＴ（２）とを、上記式（３）へ代入することにより、室内ユニット３０Ｃに分配される冷媒の分配量ＱＳ２（３）を求めることができる。
【００７１】
例えば、最大量ＱＭが「１０」であり、室内ユニット３０Ａの要求量Ｑ３（１）が「６」であり、室内ユニット３０Ｂの要求量Ｑ２（２）が「３」であり、室内ユニット３０Ｂの要求量Ｑ２（３）が「４」である場合には、合計要求量ＱＴ（３）が「６」となるため、余剰量ＱＭ（２）は「４（＝ＱＭ−ＱＴ（３））」となる。そして、合計要求量ＱＴ（２）（＝Ｑ２（２）＋Ｑ２（３））が「７」となる。
【００７２】
したがって、上記（３）式において、余剰量ＱＭ（ｋ１）に「４」を代入し、合計要求量ＱＴ（ｋ２）に「７」を代入し、Ｑｋ２（ｎ）に「３」を代入することで、室内ユニット３０Ｂについての分配量ＱＳ２（２）が「１２／７」と求められる。同様に、各値を代入することで、室内ユニット３０Ｃについての分配量ＱＳ２（３）が「１６／７」と求められる。
【００７３】
以上より、室内ユニット３０Ａの分配量ＱＳ３（１）、室内ユニット３０Ｂの分配量ＱＳ２（２）、及び室内ユニット３０Ｃの分配量ＱＳ２（３）は、次表のように求められる。
【００７４】
【表２】
2013061399.tif 000004
【００７５】
一方、ステップＳ２０７で、合計要求量ＱＴ（ｋ２）が余剰量ＱＭ（ｋ１）以下の場合には（ステップＳ２０７：Ｎｏ）、制御装置２０１は次のステップＳ２０９へ移行する。
【００７６】
ステップＳ２０９では、制御装置２０１は、優先度の値がｋ２である室内ユニットからの要求量Ｑｋ２（ｎ）と等しい量を、当該室内ユニットへの分配量ＱＳｋ２（ｎ）として決定する。ステップＳ２０９では、優先度の値が「２」である室内ユニット３０Ｂからの要求量Ｑ２（２）と等しい量が、室内ユニット３０Ｂへの分配量ＱＳ２（２）となる。そして、室内ユニット３０Ｃからの要求量Ｑ２（３）と等しい量が、室内ユニット３０Ｃへの分配量ＱＳ２（３）となる。
【００７７】
次のステップＳ２１０では、制御装置２０１は、最も小さい優先度の値ｋ３（＝ｋ２−１）についての合計要求量ＱＴ（ｋ３）と、最大量ＱＭから先に分配した冷媒の合計要求量ＱＴ（ｋ１），ＱＴ（ｋ２）を減じた余剰量ＱＭ（ｋ２）とを比較する。そして、制御装置２０１は、余剰量ＱＭ（ｋ２）より合計要求量ＱＴ（ｋ３）の方が大きいと判断した場合には（ステップＳ２１０：Ｙｅｓ）、次のステップＳ２１１へ移行する。
【００７８】
ステップＳ２１１では、制御装置２０１は、次式（４）に示されるように、余剰量ＱＭ（ｋ２）を、優先度の値がｋ３の室内ユニットによる要求量Ｑｋ３（ｎ）の比に応じて按分することで、室内ユニット毎に分配量ＱＳｋ３（ｎ）をそれぞれ算出する。また、制御装置２０１は、残りの室内ユニットについての分配量ＱＳｋ（ｎ）を零に設定する。
【００７９】
ＱＳｋ３（ｎ）＝ＱＭ（ｋ２）×（Ｑｋ３（ｎ）／ＱＴ（ｋ３））  …（４）
【００８０】
ステップＳ２１１では、優先度の値ｋ３が「１」である。このため、余剰量ＱＭ（ｋ２）と、室内ユニット４０の要求量Ｑ２Ｋ３（３）と、優先度の値ｋが「１」についての合計要求量ＱＴ（１）とを、上記式（４）へ代入することにより、室内ユニット４０に分配される冷媒の分配量ＱＳ３（４）を求めることができる。
【００８１】
例えば、最大量ＱＭが「１０」であり、室内ユニット３０Ａの要求量Ｑ３（１）が「３」であり、室内ユニット３０Ｂの要求量Ｑ２（２）が「２」であり、室内ユニット３０Ｂの要求量Ｑ２（３）が「４」であり、室内ユニット４０の要求量Ｑ１（４）が「７」である場合には、合計要求量ＱＴ（３）が「３」となり、合計要求量ＱＴ（２）が「６」となるため、余剰量ＱＭ（１）は「１（＝ＱＭ−ＱＴ（３）−ＱＴ（２）」となる。そして、合計要求量ＱＴ（１）（＝Ｑ１（４））が「７」となる。
【００８２】
したがって、上記（４）式において、余剰量ＱＭ（ｋ２）に「１」を代入し、合計要求量ＱＴ（ｋ３）に「７」を代入し、Ｑｋ２（ｎ）に「７」を代入することで、室内ユニット４０についての分配量ＱＳ１（４）が「１」と求められる。ここでは、余剰量ＱＭ（ｋ２）が、すべて室内ユニット４０に分配されるため、余剰量ＱＭ（ｋ２）と分配量ＱＳ１（４）とが等しくなる。
【００８３】
以上より、室内ユニット３０Ａの分配量ＱＳ３（１）、室内ユニット３０Ｂの分配量ＱＳ２（２）、室内ユニット３０Ｃの分配量ＱＳ２（３）、及び室内ユニット４０の分配量ＱＳ１（４）は、次表のように求められる。
【００８４】
【表３】
2013061399.tif 000005
【００８５】
一方、ステップＳ２１０で、合計要求量ＱＴ（ｋ３）が余剰量ＱＭ（ｋ２）以下の場合には（ステップＳ２１０：Ｎｏ）、制御装置２０１は次のステップＳ２１２へ移行する。
【００８６】
ステップＳ２１２では、制御装置２０１は、優先度の値がｋ３である室内ユニットからの要求量Ｑｋ３（ｎ）と等しい量を、当該室内ユニットへの分配量ＱＳｋ３（ｎ）として決定する。ステップＳ２１２では、優先度の値が「１」である室内ユニット４０からの要求量Ｑ１（４）と等しい量が、室内ユニット３０Ｂへの分配量ＱＳ１（４）となる。
【００８７】
ステップＳ２０５，Ｓ２０８，Ｓ２１１，Ｓ２１２での処理が終了すると、制御装置２０１は、ステップＳ２１３へ移行する。
【００８８】
ステップＳ２１３では、制御装置２０１は、圧縮機２１を駆動するための駆動電圧の周波数ｆを設定する。ステップＳ２０４，Ｓ２０７，Ｓ２１０での判断が肯定されるときは、圧縮機２１から吐出される冷媒の最大量ＱＭよりも、室内ユニット３０Ａ〜３０Ｃ，４０からの要求量Ｑ（ｎ）の合計の方が大きいときである。したがって、制御装置２０１は、ステップＳ２０４，Ｓ２０７，Ｓ２１０での判断が肯定された場合には、駆動電圧の周波数ｆを、圧縮機２１の定格周波数と等しい周波数に設定する。これにより、圧縮機２１は、定格最大出力で運転される。
【００８９】
一方、ステップＳ２０４，Ｓ２０７，Ｓ２１０での判断が、すべて否定されるときは、圧縮機２１の最大量ＱＭの方が、室内ユニット３０Ａ〜３０Ｃ，４０からの要求量Ｑ（ｎ）の合計よりも大きいときである。この場合には、制御装置２０１は、室内ユニット３０Ａ〜３０Ｃ，４０からの要求量Ｑ（ｎ）の和と等しい流量の冷媒が、圧縮機２１から吐出されるように、駆動電圧の周波数ｆを設定する。
【００９０】
制御装置２０１は、駆動電圧の周波数ｆを設定すると、周波数ｆを示す情報を、駆動装置２０２へ出力する。これにより、駆動装置２０２によって、周波数ｆの駆動電圧が、圧縮機２１へ印加される。圧縮機２１では、当該圧縮機２１を構成するインバータモータが周波数ｆに比例した回転数で回転し、圧縮機２１から、各室内ユニットからの要求に応じた量の冷媒が吐出される。
【００９１】
次のステップＳ２１４では、制御装置２０１は、室内ユニット３０Ａ〜３０Ｃ，４０を構成する膨張弁３２，４２の開度Ｒ１〜Ｒ４をそれぞれ設定する。各膨張弁３２，４２の開度Ｒ１〜Ｒ４は、ステップＳ２０１〜Ｓ２１３の処理によって求められた各室内ユニットへの分配量ＱＳｋ（ｎ）によって設定される。
【００９２】
例えば、ステップＳ２０４での判断が肯定される場合は、優先度の値がｋ１の室内ユニットに対する分配量ＱＳｋ１（ｎ）の合計が、圧縮機２１の最大量ＱＭを上回る。この場合には、制御装置２０１は、優先度の値がｋ１の室内ユニットが備える膨張弁の開度を、当該室内ユニットに要求される要求量に応じた開度に設定する。そして、制御装置２０１は、残りの室内ユニットの膨張弁の開度を零に設定する。
【００９３】
具体的には、制御装置２０１は、室内ユニット３０Ａの膨張弁３２の開度Ｒ１を、要求量Ｑ（１）に応じて設定するとともに、残りの室内ユニット３０Ｂ，３０Ｃ，４０の膨張弁３２，４２の開度Ｒ２〜Ｒ４を零に設定する。
【００９４】
制御装置２０１は、それぞれの膨張弁３２，４２の開度を設定すると、この設定結果を、各室内ユニット３０Ａ〜３０Ｃ，４０の制御装置３０１，４０１へ通知する。これにより、室内ユニット３０Ａの膨張弁３２の開度が所望の開度となり、室内ユニット３０Ｂ，３０Ｃ，４０の膨張弁３２，４２それぞれが完全に閉じた状態になる。これにより、優先度が最も高い室内ユニット３０Ａに、要求量に応じた冷媒が供給される。
【００９５】
ステップＳ２０７での判断が肯定される場合は、優先度の値がｋ１の室内ユニットの分配量ＱＳｋ１（ｎ）と、優先度の値がｋ２の室内ユニットに対する分配量ＱＳｋ２（ｎ）の合計が、圧縮機２１の最大量ＱＭを上回る。この場合には、制御装置２０１は、優先度の値がｋ１及びｋ２の室内ユニットが備える膨張弁の開度を、当該室内ユニットに要求される要求量に応じた開度に設定する。そして、制御装置２０１は、残りの室内ユニットの膨張弁の開度を零に設定する。
【００９６】
具体的には、制御装置２０１は、室内ユニット３０Ａ，３０Ｂ，３０Ｃの膨張弁３２の開度Ｒ１〜Ｒ３それぞれを、要求量Ｑ（１），Ｑ（２），Ｑ（３）に応じて設定するとともに、残りの室内ユニット４０の膨張弁４２の開度Ｒ４を零に設定する。
【００９７】
制御装置２０１は、それぞれの膨張弁３２，４２の開度を設定すると、この設定結果を、各室内ユニット３０Ａ〜３０Ｃ，４０の制御装置３０１，４０１へ通知する。これにより、室内ユニット３０Ａ〜３０Ｃに、要求量に応じた冷媒が供給される。
【００９８】
ステップＳ２１０での判断が肯定される場合は、優先度の値がｋ１の室内ユニットの分配量ＱＳｋ１（ｎ）と、優先度の値がｋ２の室内ユニットに対する分配量ＱＳｋ２（ｎ）と、優先度の値がｋ３の室内ユニットに対する分配量ＱＳｋ３（ｎ）との合計が、圧縮機２１の最大量ＱＭを上回る。この場合には、制御装置２０１は、優先度の値がｋ１，ｋ２，及びｋ３の室内ユニットが備える膨張弁の開度を、当該室内ユニットに要求される要求量に応じた開度に設定する。そして、制御装置２０１は、残りの室内ユニットの膨張弁の開度を零に設定する。
【００９９】
具体的には、制御装置２０１は、室内ユニット３０Ａ，３０Ｂ，３０Ｃ，４０の膨張弁３２，４２の開度Ｒ１〜Ｒ４それぞれを、要求量Ｑ（１），Ｑ（２），Ｑ（３），Ｑ（４）に応じて設定する。なお、上述した例では、残りの室内ユニットは存在しないが、もし室内ユニット３０Ａ〜３０Ｃ，４０以外の室内ユニットが存在する場合には、この残りの室内ユニットの膨張弁の開度を零に設定する。
【０１００】
制御装置２０１は、それぞれの膨張弁３２，４２の開度を設定すると、この設定結果を、各室内ユニット３０Ａ〜３０Ｃ，４０の制御装置３０１，４０１へ通知する。これにより、室内ユニット３０Ａ〜３０Ｃ，４０に、要求量に応じた冷媒が供給される。
【０１０１】
また、ステップＳ２１０での判断が否定された場合には、優先度の値がｋ１の室内ユニットの分配量ＱＳｋ１（ｎ）と、優先度の値がｋ２の室内ユニットに対する分配量ＱＳｋ２（ｎ）と、優先度の値がｋ３の室内ユニットに対する分配量ＱＳｋ３（ｎ）の合計が、圧縮機２１の最大量ＱＭ以下になる。この場合には、制御装置２０１は、優先度の値がｋ１，ｋ２，及びｋ３の室内ユニットが備える膨張弁の開度を、当該室内ユニットに要求される要求量に応じた開度に設定する。
【０１０２】
具体的には、制御装置２０１は、室内ユニット３０Ａ，３０Ｂ，３０Ｃ，４０の膨張弁３２，４２の開度Ｒ１〜Ｒ４それぞれを、要求量Ｑ（１），Ｑ（２），Ｑ（３），Ｑ（４）に応じて設定する。
【０１０３】
制御装置２０１は、それぞれの膨張弁３２，４２の開度を設定すると、この設定結果を、各室内ユニット３０Ａ〜３０Ｃ，４０の制御装置３０１，４０１へ通知する。これにより、室内ユニット３０Ａ〜３０Ｃ，４０に、要求量に応じた冷媒が供給される。
【０１０４】
以上説明したように、本実施形態では、ユーザによって予め設定された優先度に基づいて、圧縮機２１から吐出される冷媒が分配され、その余剰分が更に優先度に基づいて分配される。したがって、ユーザは、例えばオフィスビル１００のワークスペースＡ１〜Ａ３、及び給湯室Ｂ１の用途に応じて、室内ユニット３０Ａ〜３０Ｂ，４０の優先度を設定することで、使用目的に応じて、ヒートポンプシステム１０を効率的に運用することが可能となる。
【０１０５】
具体的には、ユーザは、使用頻度や重要度に応じてワークスペースに優先度を設定することで、室内ユニットの最大冷却容量の合計が、室外ユニットの最大冷却容量を超えている場合であっても、空調負荷の大きいワークスペースの室内ユニットを定格容量で運転することができる。また、空調の必要性が高いワークスペースの室内ユニットを定格容量で運転することができる。これにより、当該ワークスペースの快適性を確保することができる。
【０１０６】
また、残りの室内ユニットについては、室外ユニットの余剰容量を優先度に応じて分配することで、室外ユニットの冷却容量の範囲内で、各室内ユニットを効率的に運用することができる。
【０１０７】
上記実施形態では、ヒートポンプシステム１０が、冷媒と室内空気との間で熱交換を行う３台の室内ユニット３０Ａ〜３０Ｃと、冷媒と水道水との間で熱交換を行う１台の室内ユニット４０を備えている場合について説明した。これに限らず、ヒートポンプシステム１０は、冷媒と室内空気との間で熱交換を行う４台以上の室内ユニットを備えていてもよい。また、冷媒と水道水との間で熱交換を行う複数台の室内ユニットを備えていてもよい。
【０１０８】
上記実施形態では、室内ユニットに３段階の優先度が設定されている場合について説明した。これに限らず、室内ユニットに２段階の優先度が設定されていてもよい。この場合には、図５におけるステップＳ２０９〜Ｓ２１１の処理が省略される。
【０１０９】
また、室内ユニットに４段階以上の優先度が設定されている場合には、ステップＳ２１２の処理の前に、ステップＳ２０６〜Ｓ２０８、或いはステップＳ２０９〜２１１に相当する一連の処理を実行することで、各優先度に応じて分配量を算出することができる。
【０１１０】
《第２の実施形態》
次に、本発明の第２の実施形態を、図面を参照しつつ説明する。なお、第１の実施形態と同一又は同等の構成については、同等の符号を用いる。図６は、第２の実施形態に係るヒートポンプシステム１１を示す図である。図６に示されるように、ヒートポンプシステム１１は、室内ユニット４０が、２次冷凍サイクルを有している点で、第１の実施形態に係るヒートポンプシステム１０と相違している。
【０１１１】
図６に示されるように、室内ユニット４０は、熱交換器４１，５１、圧縮機５２、膨張弁４２，５３を備えている。これらの熱交換器４１，５１、膨張弁５３、圧縮機５２は、冷媒配管５７によって直列に接続されている。これにより、２次冷凍サイクルが構成され、ヒートポンプシステム１１全体では、２段のカスケード冷凍サイクルが構成される。なお、２次冷凍サイクルの冷媒としては、例えば臨界温度の高いフロンガスＲ１３４ａが用いられる。
【０１１２】
上述のように構成された２次冷凍サイクルでは、室外ユニット２０、循環系５０、及び室内ユニット４０の熱交換器４１によって構成される１次冷凍サイクルが、暖房運転に用いられている場合に、熱交換器４１が、２次冷凍サイクルの蒸発熱源として機能する。冷媒配管５７を循環する冷媒は、熱交換器４１を通過すると、凝縮温度まで加熱された状態になる。熱交換器５１では、凝縮温度まで加熱された冷媒と、水道管６１を循環する水道水との間で熱交換が行われる。これによって、水道水が加熱され温水ができる。
【０１１３】
図７は、ヒートポンプシステム１１を構成する室内ユニット４０のブロック図である。図７に示されるように、室内ユニット４０は、圧縮機５２を駆動する駆動装置４０５、圧縮機５２に流入する冷媒の圧力を検出する圧力センサ４０６、圧縮機５２から流出する冷媒の圧力を検出する圧力センサ４０７を備えている。
【０１１４】
駆動装置４０５は、第１の実施形態で説明した駆動装置２０２と同等の構成を有している。駆動装置４０５は、制御装置４０１の指示に基づいて、圧縮機５２を駆動する。
【０１１５】
本実施形態では、制御装置４０１は、温度センサ４０３を用いて、熱交換器５１の冷媒と熱交換を終えた後の水道水の温度を監視する。そして、制御装置４０１は、水道水の温度が所望の温度となるように、圧縮機５２の出力を制御するとともに、膨張弁５３の開度を制御する。圧縮機５２の制御は、例えば、当該圧縮機５２へ印加する駆動電圧の周波数ｆを変更することにより行う。
【０１１６】
水道水を所望の温度に加熱する場合には、室外ユニット２０から、室内ユニット４０の熱交換器４１に、熱量に見合った量の冷媒が供給される必要がある。熱交換器４１が必要とする熱量ＨＱ１は、次式（５）に示されるように、室内ユニット４０が給湯に用いる熱量ＨＱ２から、圧縮機５２の入力Ｗを減じることにより求めることができる。
【０１１７】
ＨＱ１＝ＨＱ２−ＷＤ  …（５）
【０１１８】
上記式（５）は、２次冷凍サイクルの成績係数ＣＯＰを用いると、次式（６）に変形することができる。
【０１１９】
ＨＱ１＝ＨＱ２（１−１／ＣＯＰ）  …（６）
【０１２０】
成績係数ＣＯＰは、一般に、圧縮機５２へ流入する冷媒の温度（１次側温度）をＥＴ（℃）、圧縮機５２から吐出する冷媒の温度（２次側温度）をＣＴ（℃）、圧縮機５２の効率をηとすると、次式（７）で示される。
【０１２１】
ＣＯＰ＝（ＣＴ＋２７３．１５）／（ＣＴ−ＥＴ）×η  …（７）
【０１２２】
圧縮機５２の効率ηは、約０．６程度と一定であるから、熱交換器４１が必要とする熱量ＨＱ１は、次式（８）に示されるように、室内ユニット４０が給湯に用いる熱量ＨＱ２と、圧縮機５２の１次側温度ＥＴ及び２次側温度ＣＴから、求めることができる。
【０１２３】
ＨＱ１＝ＨＱ２［１−１／｛（ＣＴ＋２７３．１５）／（ＣＴ−ＥＴ）×η｝］…（８）
【０１２４】
そこで、制御装置４０１は、圧力センサ４０６からの出力に基づいて、１次側温度ＥＴを求めるとともに、圧力センサ４０７からの出力に基づいて、２次側温度ＣＴを求める。次に、制御装置４０１は、算出した温度ＥＴ，ＣＴと、室内ユニット４０が給湯に用いる熱量ＨＱ２とを、上記式（８）へ代入することにより、熱交換器４１が必要とする熱量ＨＱ１を求める。そして、制御装置４０１は、求めた熱量ＨＱ１から規定される１次冷凍サイクルの冷媒の要求量Ｑ（ｎ）を、室外ユニット２０の制御装置２０１からの要求に応じて、当該制御装置２０１へ通知する。
【０１２５】
これにより、制御装置２０１によって、室内ユニット４０へ所望の要求量Ｑ（ｎ）の冷媒が供給される。
【０１２６】
以上説明したように、本実施形態では、圧縮機５２の１次側温度ＥＴ及び２次側温度ＣＴを監視することで、リアルタイムに、熱交換器４１が必要とする熱量ＨＱ１を求め、この熱量ＨＱ１から規定される１次冷凍サイクルの冷媒の要求量Ｑ（ｎ）を求めることができる。これにより、室内ユニット４０の２次冷凍サイクルの運転状況が変化したとしても、圧縮機５２への入力を計算することなく、第１冷凍サイクルへの要求熱量を求めることができる。したがって、室外ユニット２０によって分配される冷媒を、運転状態に応じて調整することが可能になる。
【０１２７】
その結果、室外ユニット２０から室内ユニット４０への冷媒の供給が過剰になり、例えば圧縮機が起動と停止を繰り返すことによるロスを抑制することができる。したがって、システムで消費されるエネルギーを削減し、当該システムを効率的に運用することが可能となる。
【０１２８】
上記実施形態では、圧力センサ４０６，４０７からの出力に基づいて、第１冷凍サイクルへの要求熱量を求める場合について説明した。しかしながら、式（５）に示されるように、圧縮機５２への入力がわかれば、第１冷凍サイクルへの要求熱量を求めることができる。そこで、圧縮機５２への入力を計算し、この計測結果を用いて、第１冷凍サイクルへの要求熱量を求めることとしてもよい。この場合にも、室外ユニット２０によって分配される冷媒を、運転状態に応じて調整することが可能になる。
【０１２９】
その結果、室外ユニット２０から室内ユニット４０への冷媒の供給が過剰になり、例えば圧縮機が起動と停止を繰り返すことによるロスを抑制することができる。したがって、システムで消費されるエネルギーを削減し、当該システムを効率的に運用することが可能となる。
【０１３０】
以上、本発明の実施形態について説明したが、本発明は上記実施形態によって限定されるものではない。例えば、上記実施形態では、室外ユニット２０の熱交換器２３の能力が一定であるものとして説明した。これに限らず、各室内ユニットからの要求量Ｑの合計が、圧縮機２１から吐出される冷媒の最大量ＱＭを超える場合には、冷媒の冷却効率を向上させる処置を実施してもよい。この処置としては、室外ユニットや各室内ユニットにおける伝熱面積と熱通過率の積として示される熱コンダクタンスを増加させることが考えられる。具体的には、各ユニットが備える熱交換器のファンの出力を増加させることが考えられる。
【０１３１】
例えば図８は、室外ユニット２０の制御装置２０１が実行する一例の処理を示す図である。室外ユニット２０は、ヒートポンプシステム１０が起動されると、室内ユニット３０Ａ〜３０Ｃ，４０からの冷媒の要求量Ｑの合計量ΣＱと、圧縮機２１の最大量ＱＭとを比較する（ステップＳ３０１）。そして、制御装置２０１は、合計量ΣＱが、圧縮機２１の最大量ＱＭ以下であると判断した場合には（ステップＳ３０２：Ｙｅｓ）、熱交換器２３のファンを回転数Ｎ１で運転する。一方、制御装置２０１は、合計量ΣＱが、圧縮機２１の最大量ＱＭより大きいと判断した場合には（ステップＳ３０２：Ｎｏ）、熱交換器２３のファンを回転数Ｎ１よりも高い回転数Ｎ２で運転する。
【０１３２】
これにより、冷媒の要求量Ｑの合計量ΣＱが、圧縮機２１の最大量ＱＭを超えた場合には、それ以前に比べて室外ユニット２０の出力が増加する。
【０１３３】
上記実施形態では、１次冷凍サイクルを循環する冷媒にフロンガスＲ４１０Ａを用い、２次冷凍サイクルを循環する冷媒にフロンガスＲ１３４ａを用いた場合について説明した。これに限らず、例えば、二酸化炭素（ＣＯ２）や炭化水素、ヘリウム等のような自然冷媒や、Ｒ４０７Ｃ、Ｒ４０４Ａ、ＨＦＯ１２３４ｙｆ、ＨＦＯ１２３４ｚｅ等の塩素を含まない冷媒、若しくは既存の製品に使用されているＲ２２等のフロン系冷媒等を用いてもよい。
【０１３４】
また、１次冷凍サイクルに用いられる冷媒と２次冷凍サイクルに用いられる冷媒は、同じ種類でもよいし、別の種類でもよい。１次冷凍サイクルと２次冷凍サイクルとの間では、熱交換の際に、冷媒同士が混ざり合うことなく、熱交換が行われる。
【０１３５】
２次冷凍サイクルの冷媒として、臨界温度の低い冷媒を用いた場合、熱交換器５１での熱交換の際には、２次冷凍サイクルの冷媒が超臨界状態となることが想定される。しかしながら、一般に放熱過程の冷媒が超臨界状態にある場合、熱交換器圧力や熱交換器出口温度の変化によるＣＯＰの変動が大きくなる。このため、ＣＯＰが高くなるような運転を行うためには、より高度な制御が要求される。また、一般に、臨界温度の低い冷媒は、飽和圧力が高い。そのため、配管や圧縮機の強度を増す必要があるので、装置のコストが増加する要因となる。
【０１３６】
また、水道水中のレジオネラ菌等の繁殖を抑えるためには、給湯温度が６０℃以上であることが推奨される。そのため、給湯の目標温度が最低でも６０℃以上であることが望ましい。以上のことを踏まえ、２次冷凍サイクルの冷媒としては、臨界温度が６０℃以上の冷媒を用いることが望ましい。このような冷媒を２次冷凍サイクルの冷媒として用いることで、低コストで、安定的に高いＣＯＰを得ることができると考えられる。
【０１３７】
上記実施形態に係る室外制御ユニット１２０、及び室内制御ユニット１３０Ａ〜１３０Ｃ，１４０の機能は、専用のハードウエアによっても、通常のコンピュータシステムによっても実現することができる。
【０１３８】
上記各実施形態において制御装置２０１の補助記憶部２０１ｃに記憶されているプログラムを、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行する装置を構成することとしてもよい。また、プログラムをインターネット等の通信ネットワーク上の所定のサーバ装置が有するディスク装置等に格納しておき、例えば、搬送波に重畳させて、ダウンロード等するようにしても良い。
【０１３９】
上記実施形態では、室外ユニット２０の制御装置２０１が、図５に示される一連の処理を実行した。これに限らず、室外ユニット及び室内ユニットに共通する独立した制御装置が、室外ユニット２０の圧縮機２１、四方弁２２等を制御するとともに、室内ユニット３０Ａ〜３０Ｃ，４０の膨張弁３２，４２，５３等を制御することとしてもよい。また、室外ユニット２０の制御装置２０１が実行した処理を、室内ユニット３０Ａ〜３０Ｃ，４０の制御装置３０１，４０１が実行することとしてもよい。
【０１４０】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１４１】
本発明のヒートポンプシステム、制御装置、温調方法及びプログラムは、温調対象の温調に適している。
【符号の説明】
【０１４２】
１０，１１  ヒートポンプシステム
２０  室外ユニット
２１  圧縮機
２２  四方弁
２３  熱交換器
２４，２５  継手
２６  冷媒配管
３０Ａ〜３０Ｃ  室内ユニット
３１  熱交換器
３２  膨張弁
３３  継手
３４  継手
３５  冷媒配管
４０  室内ユニット
４１，５１  熱交換器
４２，５３  膨張弁
４３，４４  継手
４７  冷媒配管
５０  循環系
５０ａ，５０ｂ  冷媒配管
５２  圧縮機
５７  冷媒配管
６０  給水ポンプ
６１  水道管
１００  オフィスビル
１２０  室外制御ユニット
１３０Ａ〜１３０Ｃ，１４０  室内制御ユニット
２０１  制御装置
２０１ａ  ＣＰＵ
２０１ｂ  主記憶部
２０１ｃ  補助記憶部
２０１ｄ  インタフェース
２０１ｅ  バス
２０２  駆動装置
３０１  制御装置
３０２  入力部
３０３  温度センサ
３０４  弁駆動回路
４０１  制御装置
４０２  入力部
４０３  温度センサ
４０４  弁駆動回路
４０５  駆動装置
４０６，４０７  圧力センサ
Ａ１〜Ａ３  ワークスペース
Ｂ１  給湯室
Ｒ１〜Ｒ４  開度
【図１】
2013061399.tif 000006
【図２】
2013061399.tif 000007
【図３】
2013061399.tif 000008
【図４】
2013061399.tif 000009
【図５】
2013061399.tif 000010
【図６】
2013061399.tif 000011
【図７】
2013061399.tif 000012
【図８】
2013061399.tif 000013
【手続補正書】
【提出日】平成26年2月28日(2014.2.28)
【手続補正１】
【補正対象書類名】明細書
【補正対象項目名】０００９
【補正方法】変更
【補正の内容】
【０００９】
上記目的を達成するため、本発明に係るヒートポンプシステムは、
温調対象と冷媒との間で熱交換を行う複数の室内ユニットと、
外気と冷媒との間で熱交換を行う室外ユニットと、
複数の前記室内ユニットと前記室外ユニットとの間で、冷媒を循環させる第１循環系と、
前記室内ユニットごとに設けられ、前記第１循環系から前記室内ユニットへ流入する冷媒の流量を調整するための調整手段と、
前記室内ユニットに設定される優先度を入力するための入力手段と、
複数の前記室内ユニットそれぞれで必要な冷媒の流量の合計が、前記室外ユニットから、前記第１循環系へ吐出されうる冷媒の流量を超える場合に、前記優先度が高い前記室内ユニットから順に、前記室内ユニットが必要とする流量の冷媒が前記室内ユニットに供給されるように、前記調整手段を制御して、冷媒を分配する制御手段と、
を備える。
【手続補正２】
【補正対象書類名】特許請求の範囲
【補正対象項目名】全文
【補正方法】変更
【補正の内容】
【特許請求の範囲】
【請求項１】
温調対象と冷媒との間で熱交換を行う複数の室内ユニットと、
外気と冷媒との間で熱交換を行う室外ユニットと、
複数の前記室内ユニットと前記室外ユニットとの間で、冷媒を循環させる第１循環系と、
前記室内ユニットごとに設けられ、前記第１循環系から前記室内ユニットへ流入する冷媒の流量を調整するための調整手段と、
前記室内ユニットに設定される優先度を入力するための入力手段と、
複数の前記室内ユニットそれぞれで必要な冷媒の流量の合計が、前記室外ユニットから、前記第１循環系へ吐出されうる冷媒の流量を超える場合に、前記優先度が高い前記室内ユニットから順に、前記室内ユニットが必要とする流量の冷媒が前記室内ユニットに供給されるように、前記調整手段を制御して、冷媒を分配する制御手段と、
を備えるヒートポンプシステム。
【請求項２】
前記制御手段は、前記室内ユニットに要求される冷媒の流量の比に応じて、前記冷媒を分配する請求項１に記載のヒートポンプシステム。
【請求項３】
前記制御手段は、優先度が最も高い前記室内ユニットについては、当該室内ユニットから要求される流量の冷媒が供給されるように、前記調整手段を制御する請求項１又は２に記載のヒートポンプシステム。
【請求項４】
前記制御手段は、優先度が最も高い前記室内ユニットに、当該室内ユニットから要求される流量の冷媒を供給した後の余剰冷媒を、他の前記室内ユニットに分配する請求項３に記載のヒートポンプシステム。
【請求項５】
前記余剰冷媒を、他の前記室内ユニットから要求される比に応じて分配する請求項４に記載のヒートポンプシステム。
【請求項６】
前記第１循環系は、複数の前記室内ユニットに要求される冷媒の流量の合計が、前記室外ユニットから吐出される冷媒の最大流量を超える場合に、前記室外ユニットから吐出される冷媒の熱量を、複数の前記室内ユニットに要求される冷媒の流量の合計が、前記室外ユニットから吐出される冷媒の最大流量以下のときよりも増加させる請求項１乃至５のいずれか一項に記載のヒートポンプシステム。
【請求項７】
前記室内ユニットは、前記第１循環系を循環する冷媒との間で熱交換が行われる冷媒を循環させるための第２循環系と、
前記第２循環系の冷媒を循環させる圧縮機と、
前記第１循環系の冷媒と、前記第２循環系の冷媒との間で熱交換を行うことで、前記第２循環系の蒸発熱源として機能する第１熱交換手段と、
前記第１熱交換手段で必要な熱量と、前記圧縮機の運転状態に基づいて、前記室外ユニットへ要求する要求熱量を求める算出手段と、
を備える請求項１乃至６のいずれか一項に記載のヒートポンプシステム。
【請求項８】
前記算出手段は、前記第１熱交換手段で必要な熱量と、前記圧縮機への入力とを用いて、前記要求熱量を算出する請求項７に記載のヒートポンプシステム。
【請求項９】
前記算出手段は、前記第１熱交換手段で必要な熱量と、前記圧縮機の成績計数を用いて、前記要求熱量を算出する請求項７に記載のヒートポンプシステム。
【請求項１０】
前記室内ユニットは、
前記第２循環系を循環する冷媒と、給湯系統を流れる前記温調対象としての水との間で熱交換を行う第２熱交換手段を備え、
前記第２循環系を循環する冷媒の臨界温度は６０℃以上である請求項７乃至９のいずれか一項に記載のヒートポンプシステム。
【請求項１１】
複数の室内ユニットそれぞれで必要な冷媒の流量を求める手段と、
前記室内ユニットそれぞれで必要な冷媒の流量の合計量を算出する手段と、
前記合計量が、室外ユニットから前記室内ユニットへ供給される冷媒の量を超える場合に、前記室内ユニットに割り当てられた優先度が高い順に、前記室内ユニットが必要とする流量の冷媒が前記室内ユニットに供給されるように、前記室内ユニットの分配手段を制御する手段と、
を備える制御装置。
【請求項１２】
複数の室内ユニットそれぞれで必要な冷媒の流量を求める工程と、
前記室内ユニットそれぞれで必要な冷媒の流量の合計量を算出する工程と、
前記合計量が、室外ユニットから前記室内ユニットへ供給される冷媒の量を超える場合に、前記室内ユニットに割り当てられた優先度が高い順に、前記室内ユニットが必要とする流量の冷媒が前記室内ユニットに供給されるように、前記冷媒を前記室内ユニットに分配する工程と、
を含む温調方法。
【請求項１３】
コンピュータに、
複数の室内ユニットそれぞれで必要な冷媒の流量を求める手順と、
前記室内ユニットそれぞれで必要な冷媒の流量の合計量を算出する手順と、
前記合計量が、室外ユニットから前記室内ユニットへ供給される冷媒の量を超える場合に、前記室内ユニットに割り当てられた優先度が高い順に、前記室内ユニットが必要とする流量の冷媒が前記室内ユニットに供給されるように、前記室内ユニットの分配手段を制御する手順と、
を実行させるためのプログラム。
【手続補正書】
【提出日】平成27年1月9日(2015.1.9)
【手続補正１】
【補正対象書類名】明細書
【補正対象項目名】０００９
【補正方法】変更
【補正の内容】
【０００９】
上記目的を達成するため、本発明に係るヒートポンプシステムは、
温調対象と冷媒との間で熱交換を行う複数の室内ユニットと、
外気と冷媒との間で熱交換を行う室外ユニットと、
複数の前記室内ユニットと前記室外ユニットとの間で、冷媒を循環させる第１循環系と、
前記室内ユニットごとに設けられ、前記第１循環系から前記室内ユニットへ流入する冷媒の流量を調整するための調整手段と、
前記室内ユニットに設定される優先度を入力するための入力手段と、
複数の前記室内ユニットそれぞれで必要な冷媒の流量の合計が、前記室外ユニットから、前記第１循環系へ吐出されうる冷媒の流量を超える場合に、前記室内ユニットに必要な冷媒の流量に依らず前記設定された優先度が高い前記室内ユニットから順に、前記室内ユニットが必要とする流量の冷媒が前記室内ユニットに供給されるように、前記調整手段を制御して、冷媒を分配する制御手段と、
を備える。
【手続補正２】
【補正対象書類名】特許請求の範囲
【補正対象項目名】全文
【補正方法】変更
【補正の内容】
【特許請求の範囲】
【請求項１】
温調対象と冷媒との間で熱交換を行う複数の室内ユニットと、
外気と冷媒との間で熱交換を行う室外ユニットと、
複数の前記室内ユニットと前記室外ユニットとの間で、冷媒を循環させる第１循環系と、
前記室内ユニットごとに設けられ、前記第１循環系から前記室内ユニットへ流入する冷媒の流量を調整するための調整手段と、
前記室内ユニットに設定される優先度を入力するための入力手段と、
複数の前記室内ユニットそれぞれで必要な冷媒の流量の合計が、前記室外ユニットから、前記第１循環系へ吐出されうる冷媒の流量を超える場合に、前記室内ユニットに必要な冷媒の流量に依らず前記設定された優先度が高い前記室内ユニットから順に、前記室内ユニットが必要とする流量の冷媒が前記室内ユニットに供給されるように、前記調整手段を制御して、冷媒を分配する制御手段と、
を備えるヒートポンプシステム。
【請求項２】
前記制御手段は、前記室内ユニットに要求される冷媒の流量の比に応じて、前記冷媒を分配する請求項１に記載のヒートポンプシステム。
【請求項３】
前記制御手段は、前記設定された優先度が最も高い前記室内ユニットについては、当該室内ユニットから要求される流量の冷媒が供給されるように、前記調整手段を制御する請求項１又は２に記載のヒートポンプシステム。
【請求項４】
前記制御手段は、前記設定された優先度が最も高い前記室内ユニットに、当該室内ユニットから要求される流量の冷媒を供給した後の余剰冷媒を、他の前記室内ユニットに分配する請求項３に記載のヒートポンプシステム。
【請求項５】
前記余剰冷媒を、他の前記室内ユニットから要求される比に応じて分配する請求項４に記載のヒートポンプシステム。
【請求項６】
前記第１循環系は、複数の前記室内ユニットに要求される冷媒の流量の合計が、前記室外ユニットから吐出される冷媒の最大流量を超える場合に、前記室外ユニットから吐出される冷媒の熱量を、複数の前記室内ユニットに要求される冷媒の流量の合計が、前記室外ユニットから吐出される冷媒の最大流量以下のときよりも増加させる請求項１乃至５のいずれか一項に記載のヒートポンプシステム。
【請求項７】
前記室内ユニットは、前記第１循環系を循環する冷媒との間で熱交換が行われる冷媒を循環させるための第２循環系と、
前記第２循環系の冷媒を循環させる圧縮機と、
前記第１循環系の冷媒と、前記第２循環系の冷媒との間で熱交換を行うことで、前記第２循環系の蒸発熱源として機能する第１熱交換手段と、
前記圧縮機に流入する冷媒の１次側温度及び前記圧縮機から流出する冷媒の２次側温度に基づいて、前記第１熱交換手段で必要な熱量を求め、当該求めた熱量から規定される、前記室外ユニットへ要求する要求熱量を算出する算出手段と、
を備える請求項１乃至６のいずれか一項に記載のヒートポンプシステム。
【請求項８】
前記算出手段は、前記圧縮機に流入する冷媒の圧力に基づいて前記１次側温度を求め、前記圧縮機から流出する圧力に基づいて前記２次側温度を求める請求項７に記載のヒートポンプシステム。
【請求項９】
前記算出手段は、前記１次側温度と前記２次側温度と前記圧縮機の効率とに基づいて求めた成績係数を用いて、前記第１熱交換手段で必要な熱量を求める請求項７に記載のヒートポンプシステム。
【請求項１０】
前記室内ユニットは、
前記第２循環系を循環する冷媒と、給湯系統を流れる前記温調対象としての水との間で熱交換を行う第２熱交換手段を備え、
前記第２循環系を循環する冷媒の臨界温度は６０℃以上である請求項７乃至９のいずれか一項に記載のヒートポンプシステム。
【請求項１１】
複数の室内ユニットそれぞれで必要な冷媒の流量を求める手段と、
前記室内ユニットそれぞれで必要な冷媒の流量の合計量を算出する手段と、
前記合計量が、室外ユニットから前記室内ユニットへ供給される冷媒の量を超える場合に、前記室内ユニットに必要な冷媒の流量に依らず前記室内ユニットに割り当てられた優先度が高い順に、前記室内ユニットが必要とする流量の冷媒が前記室内ユニットに供給されるように、前記室内ユニットの分配手段を制御する手段と、
を備える制御装置。
【請求項１２】
複数の室内ユニットそれぞれで必要な冷媒の流量を求める工程と、
前記室内ユニットそれぞれで必要な冷媒の流量の合計量を算出する工程と、
前記合計量が、室外ユニットから前記室内ユニットへ供給される冷媒の量を超える場合に、前記室内ユニットに必要な冷媒の流量に依らず前記室内ユニットに割り当てられた優先度が高い順に、前記室内ユニットが必要とする流量の冷媒が前記室内ユニットに供給されるように、前記冷媒を前記室内ユニットに分配する工程と、
を含む温調方法。
【請求項１３】
コンピュータに、
複数の室内ユニットそれぞれで必要な冷媒の流量を求める手順と、
前記室内ユニットそれぞれで必要な冷媒の流量の合計量を算出する手順と、
前記合計量が、室外ユニットから前記室内ユニットへ供給される冷媒の量を超える場合に、前記室内ユニットに必要な冷媒の流量に依らず前記室内ユニットに割り当てられた優先度が高い順に、前記室内ユニットが必要とする流量の冷媒が前記室内ユニットに供給されるように、前記室内ユニットの分配手段を制御する手順と、
を実行させるためのプログラム。
【国際調査報告】
2013061399.tif 000014
2013061399.tif 000015
2013061399.tif 000016
2013061399.tif 000017